(57)【要約】【課題】遠心力の方向が、適切な方向からずれた場合においても、定量精度の低下による検査精度の低下を低減すること。【解決手段】第１定量部と第２定量部とを備え、各定量部の開口面と、各開口面が、各余剰流路接続位置の延設方向を軸心としてα度回転された場合に、各余剰流路接続位置が、水平方向において、各混合流路を形成する壁、または各定量部の各混合流路接続位置側の壁に投影される投影線を含む各仮想開口面と、各混合流路を形成する壁、または各定量部を形成する壁とで形成される各仮想空間の体積比が、第１定量部の体積と第２定量部の体積との体積比と同じ。【選択図】図７
2014163920.tif 000002
【特許請求の範囲】
【請求項１】
第１検査液体を定量するための第１定量部と、
第２検査液体を定量するための第２定量部と、
前記第１定量部において余剰とされた第１検査液体を保持するための第１余剰部と、
前記第２定量部において余剰とされた第２検査液体を保持するための第２余剰部と、
前記第１定量部において定量された第１検査液体と前記第２定量部において定量された第２検査液体とを混合するための混合部と、
前記混合部と前記第１定量部とを接続する第１混合流路と、
前記第１余剰部と前記第１定量部とを接続する第１余剰流路と、
前記混合部と前記第２定量部とを接続する第２混合流路と、
前記第２余剰部と前記第２定量部とを接続する第２余剰流路と、を備え、
前記第１混合流路を形成する壁と前記第１定量部を形成する壁とは第１混合流路接続位置において接続され、
前記第１余剰流路を形成する壁と前記第１定量部を形成する壁とは第１余剰流路接続位置において接続され、
前記第２混合流路を形成する壁と前記第２定量部を形成する壁とは第２混合流路接続位置において接続され、
前記第２余剰流路を形成する壁と前記第２定量部を形成する壁とは第２余剰流路接続位置において接続され、
前記第１混合流路接続位置と前記第１余剰流路接続位置とを含む第１開口面と、
前記第１開口面が、前記第１余剰流路接続位置の延設方向を軸心としてα度回転された場合に、前記第１余剰流路接続位置が、水平方向において、前記第１混合流路を形成する壁に投影される投影線、または前記第１定量部の第１混合流路接続位置側の壁に投影される投影線を含む第１仮想開口面と、
前記第１混合流路を形成する壁、または前記第１定量部を形成する壁と
で形成される第１仮想空間の体積と、
前記第２混合流路接続位置と前記第２余剰流路接続位置とを含む第２開口面と、
前記第２開口面が、前記第２余剰流路接続位置の延設方向を軸心としてα度回転された場合に、前記第２余剰流路接続位置が、水平方向において、前記第２混合流路を形成する壁に投影される投影線、または前記第２定量部の第２混合流路接続位置側の壁に投影される投影線を含む第２仮想開口面と、
前記第２混合流路を形成する壁、または前記第２定量部を形成する壁と
で形成される第２仮想空間の体積と、
の体積比は、前記第１定量部の体積と前記第２定量部の体積との体積比と同じであること
を特徴とする検査チップ。
【請求項２】
前記第１開口面に対する前記第１定量部の第１混合流路接続位置側の壁の延設方向と、前記第２開口面に対する前記第２定量部の第２混合流路接続位置側の壁の延設方向とは同じ方向であることを特徴とする請求項１記載の検査チップ。
【請求項３】
前記第１定量部の形状と前記第２定量部の形状とは、前記第１定量部の体積と前記第２定量部の体積との体積比を相似比率とする相似形状であることを特徴とする請求項２記載の検査チップ。
【請求項４】
前記第１混合流路接続位置に対する前記第１混合流路を形成する壁の延設方向と、前記第２混合流路接続位置に対する前記第２混合流路を形成する壁の延設方向とは同じ方向であることを特徴とする請求項１〜３のいずれか記載の検査チップ。
【請求項５】
前記第１混合流路接続位置から前記第１余剰流路接続位置へ向かう定量方向は、前記第２混合流路接続位置から前記第２余剰流路接続位置へ向かう方向と同じ方向であること
を特徴とする請求項１〜４のいずれか記載の検査チップ。
【請求項６】
前記第１検査液体が前記検査チップに注入される第１注入部と、
前記第１定量部に前記第１検査液体を流入させるための第１流入部と、
前記第１注入部から前記第１流入部までの第１経路において、前記第１混合流路接続位置から前記第１余剰流路接続位置へ向かう定量方向に開口する少なくとも１以上の第１凹部と、
前記第１経路において、前記定量方向に直交する方向に開口する少なくとも１以上の第１直交凹部と、
前記第２検査液体が前記検査チップに注入される第２注入部と、
前記第２定量部に前記第２検査液体を流入させるための第２流入部と、
前記第２注入部から前記第２流入部までの第２経路において、前記定量方向に開口する少なくとも１以上の第２凹部と、
前記第１経路において、前記定量方向に直交する方向に開口する少なくとも１以上の第２直交凹部と、
を備え、
前記第１凹部の数と前記第２凹部の数とは同じ数であり、前記第１直交凹部の数と前記第２直交凹部の数とは同じ数であること
を特徴とする請求項１〜５のいずれか記載の検査チップ。
【発明の詳細な説明】
【技術分野】
【０００１】
この発明は、検査対象となる検査液体に対して化学的、医学的、または生物学的などの検査を行うための検査チップに関する。
【背景技術】
【０００２】
ＤＮＡ（Ｄｅｏｘｙｒｉｂｏ  Ｎｕｃｌｅｉｃ  Ａｃｉｄ）、タンパク質、細胞、免疫、また血液等の生化学検査、化学合成、化学測定、または環境分析などに使用されるμ−ＴＡＳ（Ｍｉｃｒｏ Ｔｏｔａｌ Ａｎａｌｙｓｉｓ Ｓｙｓｔｅｍ）などに有用なマイクロチップが知られている。このマイクロチップは、特許文献１などにより知られている。この文献に開示されたマイクロチップは、検体を計量する検体計量部と、検体から分離された第１成分を計量する第１成分計量部と、第１成分と混合される試薬を計量する試薬計量部とを備える。これら計量部に注入された液体は、計量部の形状に応じた方向の遠心力により計量される。遠心力の方向は、遠心装置により制御される。
【先行技術文献】
【特許文献】
【０００３】
【特許文献１】特開２０１２−１２７７２４号公報
【発明の概要】
【発明が解決しようとする課題】
【０００４】
検体計量部において計量された検体、または第１成分計量部において計量された第１成分は、試薬計量部において計量された試薬と混合される。この混合において、検体、または第１成分の体積と、試薬の体積との混合比は、検査精度に影響する。すなわち、混合比がずれると、混合液の検査精度が低下する。従って、各計量部における計量精度が低下すると、検査精度が低下する。この計量部における計量精度の低下の一因は、遠心装置により制御される遠心力の方向が、計量部の形状に応じた適切な方向からずれることである。
【０００５】
本発明は、上述した問題を解決するためになされたものであり、検査装置により制御される遠心力の方向が、適切な方向からずれた場合においても、定量精度の低下による検査精度の低下を低減する検査チップを提供することを目的とする。
【課題を解決するための手段】
【０００６】
上記目的を達成するために、請求項１記載の本発明は、第１検査液体を定量するための第１定量部と、第２検査液体を定量するための第２定量部と、前記第１定量部において余剰とされた第１検査液体を保持するための第１余剰部と、前記第２定量部において余剰とされた第２検査液体を保持するための第２余剰部と、前記第１定量部において定量された第１検査液体と前記第２定量部において定量された第２検査液体とを混合するための混合部と、前記混合部と前記第１定量部とを接続する第１混合流路と、前記第１余剰部と前記第１定量部とを接続する第１余剰流路と、前記混合部と前記第２定量部とを接続する第２混合流路と、前記第２余剰部と前記第２定量部とを接続する第２余剰流路と、を備え、前記第１混合流路を形成する壁と前記第１定量部を形成する壁とは第１混合流路接続位置において接続され、前記第１余剰流路を形成する壁と前記第１定量部を形成する壁とは第１余剰流路接続位置において接続され、前記第２混合流路を形成する壁と前記第２定量部を形成する壁とは第２混合流路接続位置において接続され、前記第２余剰流路を形成する壁と前記第２定量部を形成する壁とは第２余剰流路接続位置において接続され、前記第１混合流路接続位置と前記第１余剰流路接続位置とを含む第１開口面と、前記第１開口面が、前記第１余剰流路接続位置の延設方向を軸心としてα度回転された場合に、前記第１余剰流路接続位置が、水平方向において、前記第１混合流路を形成する壁に投影される投影線、または前記第１定量部の第１混合流路接続位置側の壁に投影される投影線を含む第１仮想開口面と、前記第１混合流路を形成する壁、または前記第１定量部を形成する壁とで形成される第１仮想空間の体積と、前記第２混合流路接続位置と前記第２余剰流路接続位置とを含む第２開口面と、前記第２開口面が、前記第２余剰流路接続位置の延設方向を軸心としてα度回転された場合に、前記第２余剰流路接続位置が、水平方向において、前記第２混合流路を形成する壁に投影される投影線、または前記第２定量部の第２混合流路接続位置側の壁に投影される投影線を含む第２仮想開口面と、前記第２混合流路を形成する壁、または前記第２定量部を形成する壁とで形成される第２仮想空間の体積と、の体積比は、前記第１定量部の体積と前記第２定量部の体積との体積比と同じであることを特徴とする。
【０００７】
請求項１記載の本発明によれば、第１仮想空間の体積と第２仮想空間の体積との体積比が、第１定量部の体積と第２定量部の体積との体積比と同じである。これにより、検査装置により制御される遠心力の方向が、第１開口面に垂直な方向である適切な方向からα度ずれた場合、第１定量部において定量された第１検査液体の量と第２定量部において定量された第２検査液体の量との比は、遠心力の方向が適切な方向である場合に、第１定量部において定量された第１検査液体の量と第２定量部において定量された第２検査液体の量との比と同じになる。従って、遠心力の方向が、適切な方向からずれた場合においても、定量精度の低下による検査精度の低下を低減することができる。
【０００８】
請求項２記載の本発明は、請求項１記載の検査チップにおいて、前記第１開口面に対する前記第１定量部の第１混合流路接続位置側の壁の延設方向と、前記第２開口面に対する前記第２定量部の第２混合流路接続位置側の壁の延設方向とは同じ方向であることを特徴とする。
【０００９】
請求項２記載の本発明によれば、遠心力の方向が適切な方向から第１余剰流路側へα度ずれた場合、第１仮想開口面と第１定量部の第１混合流路接続位置側の壁の延設方向とのなす角と、第２仮想開口面と第２定量部の第２混合流路接続位置側の壁の延設方向とのなす角とが同じ角度になる。これにより、遠心力の方向が、適切な方向から第１余剰流路側へα度ずれた場合、第１定量部において定量された第１検査液体の量と第２定量部において定量された第２検査液体の量との比は、遠心力の方向が適切な方向である場合に、第１定量部において定量された第１検査液体の量と第２定量部において定量された第２検査液体の量との比と、さらに正確に同じになる。従って、遠心力の方向が、適切な方向からずれた場合においても、定量精度の低下による検査精度の低下をさらに低減することができる。
【００１０】
請求項３記載の本発明は、請求項２記載の検査チップにおいて、前記第１定量部の形状と前記第２定量部の形状とは、前記第１定量部の体積と前記第２定量部の体積との体積比を相似比率とする相似形状であることを特徴とする。
【００１１】
請求項３記載の検査チップによれば、遠心力の方向が適切な方向から第１余剰流路側へα度ずれた場合、第１仮想空間と第２仮想空間との形状は、第１定量部の体積と第２定量部の体積との体積比を相似比率とする相似形状になる。これにより、遠心力の方向が、適切な方向から第１余剰流路側へα度ずれた場合、第１定量部において定量された第１検査液体の量と第２定量部において定量された第２検査液体の量との比は、遠心力の方向が適切な方向である場合に、第１定量部において定量された第１検査液体の量と第２定量部において定量された第２検査液体の量との比と、さらに正確に同じになる。従って、遠心力の方向が、適切な方向からずれた場合においても、定量精度の低下による検査精度の低下をさらに低減することができる。
【００１２】
請求項４記載の本発明は、請求項１〜３のいずれか記載の検査チップにおいて、前記第１混合流路接続位置に対する前記第１混合流路を形成する壁の延設方向と、前記第２混合流路接続位置に対する前記第２混合流路を形成する壁の延設方向とは同じ方向であることを特徴とする。
【００１３】
請求項４記載の本発明によれば、遠心力の方向が適切な方向から第１混合流路側へα度ずれた場合、第１仮想開口面と第１混合流路を形成する壁の延設方向とのなす角と、第２仮想開口面と第２混合流路を形成する壁の延設方向とのなす角とが同じ角度になる。これにより、遠心力の方向が、適切な方向から第１混合流路側へα度ずれた場合、第１定量部において定量された第１検査液体の量と第２定量部において定量された第２検査液体の量との比は、遠心力の方向が適切な方向である場合に、第１定量部において定量された第１検査液体の量と第２定量部において定量された第２検査液体の量との比と、さらに正確に同じになる。従って、遠心力の方向が、適切な方向からずれた場合においても、定量精度の低下による検査精度の低下をさらに低減することができる。
【００１４】
請求項５記載の本発明は、請求項１〜４のいずれか記載の検査チップにおいて、前記第１混合流路接続位置から前記第１余剰流路接続位置へ向かう定量方向は、前記第２混合流路接続位置から前記第２余剰流路接続位置へ向かう方向と同じ方向であることを特徴とする。
【００１５】
請求項５記載の本発明によれば、第１開口面に垂直な方向である適切な方向からの角度のずれと第２開口面に垂直な方向である適切な方向からの角度のずれとが、一致する可能性が高くなる。これにより、遠心力の方向が、適切な方向からα度ずれた場合、第１開口面に対する遠心力の方向と第２開口面に対する遠心力の方向とが一致する可能性が高くなる。この結果、第１定量部において定量された第１検査液体の量と第２定量部において定量された第２検査液体の量との比は、遠心力の方向が適切な方向である場合に、第１定量部において定量された第１検査液体の量と第２定量部において定量された第２検査液体の量との比と、さらに正確に同じになる。従って、遠心力の方向が、適切な方向からずれた場合においても、定量精度の低下による検査精度の低下をさらに低減することができる。
【００１６】
請求項６記載の本発明は、請求項１〜５のいずれか記載の検査チップにおいて、前記第１検査液体が前記検査チップに注入される第１注入部と、前記第１定量部に前記第１検査液体を流入させるための第１流入部と、前記第１注入部から前記第１流入部までの第１経路において、前記第１混合流路接続位置から前記第１余剰流路接続位置へ向かう定量方向に開口する少なくとも１以上の第１凹部と、前記第１経路において、前記定量方向に直交する方向に開口する少なくとも１以上の第１直交凹部と、前記第２検査液体が前記検査チップに注入される第２注入部と、前記第２定量部に前記第２検査液体を流入させるための第２流入部と、前記第２注入部から前記第２流入部までの第２経路において、前記定量方向に開口する少なくとも１以上の第２凹部と、前記第１経路において、前記定量方向に直交する方向に開口する少なくとも１以上の第２直交凹部と、を備え、前記第１凹部の数と前記第２凹部の数とは同じ数であり、前記第１直交凹部の数と前記第２直交凹部の数とは同じ数であることを特徴とする。
【００１７】
請求項６記載の本発明によれば、第１定量部において第１検査液体が定量されるタイミングと、第２定量部において第２検査液体が定量されるタイミングとが同じタイミングになる。これにより、遠心力の方向が、適切な方向からα度ずれた場合、第１開口面に対する遠心力の方向と第２開口面に対する遠心力の方向とが一致する。この結果、第１定量部において定量された第１検査液体の量と第２定量部において定量された第２検査液体の量との比は、遠心力の方向が適切な方向である場合に、第１定量部において定量された第１検査液体の量と第２定量部において定量された第２検査液体の量との比と、さらに正確に同じになる。従って、遠心力の方向が、適切な方向からずれた場合においても、定量精度の低下による検査精度の低下をさらに低減することができる。
【図面の簡単な説明】
【００１８】
【図１】検査装置１及び制御装置９０を含む検査システム３の構成を示す図である。
【図２】検査チップ２の正面図である。
【図３】検体定量ユニット２２Ａ付近を拡大した拡大図である。
【図４】定量部２２６Ａ付近の斜視図である。
【図５】自転角度０度の状態の検査チップ２を示す図である。
【図６】自転角度９０度の状態の検査チップ２を示す図である。
【図７】定量時において、９０度から自転角度がずれた状態の検査チップ２を示す図である。
【図８】自転角度０度の状態の検査チップ２を示す図である。
【図９】自転角度９０度の状態の検査チップ２を示す図である。
【発明を実施するための形態】
【００１９】
本発明を具体化した実施の形態について、図面を参照して説明する。図１は、検査システム３を構成する検査装置１の平面及び制御装置９０の内部の機能ブロックを示している。
【００２０】
＜１．検査システム３の概略構造＞
本発明の実施形態を説明する。図１を参照して、検査システム３の概略構造について説明する。本実施形態の検査システム３は、液体である検体及び試薬を収容可能な検査チップ２と、検査チップ２を用いて検査を行う検査装置１とを含む。検査装置１が検査チップ２から離間した垂直軸心Ａ１を中心として検査チップ２を回転させると、遠心力が検査チップ２に作用する。検査装置１が水平軸心Ａ２を中心に検査チップ２を回転させると、検査チップ２に作用する遠心力の方向である遠心方向が切り替えられる。すなわち、検査チップ２は、内部に収容された液体に遠心力を作用可能な検査装置１に装着される。本実施形態の検査システム３及び検査装置１は、特開２０１２−７８１０７号公報に記載されているように公知の構造であるので、以下の説明では、検査装置１の構造の概略について説明する。
【００２１】
＜２．検査装置１の構造＞
図１を参照して、検査装置１の構造について説明する。以下の説明では、図１の上方、下方、右方、左方、紙面手前側、及び紙面奥側を、それぞれ、検査装置１の前方、後方、右方、左方、上方、及び下方とする。本実施形態では、垂直軸心Ａ１の方向は検査装置１の上下方向であり、水平軸心Ａ２の方向は、検査チップ２が垂直軸心Ａ１を中心として回転される際の速度の方向である。図１は検査装置１の上部筐体３０の天板が取り除かれた状態を示す。垂直軸心Ａ１が本発明の第１軸心の一例である。上下方向が本発明の第１方向の一例である。水平軸心Ａ２が本発の第２軸心の一例である。垂直軸心Ａ１を中心として回転される際の速度の方向が本発明の第２方向の一例である。
【００２２】
図１に示すように、検査装置１は、上部筐体３０、下部筐体３１、上板３２、ターンテーブル３３、角度変更機構３４、及び制御装置９０を備える。ターンテーブル３３は、後述する上板３２の上側に回転可能に設けられた円盤である。２つの検査チップ２は、ターンテーブル３３の上方に保持される。角度変更機構３４は、ターンテーブル３３に設けられた駆動機構である。この角度変更機構３４は、水平軸心Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００２３】
下部筐体３１の概略構造を説明する。下部筐体３１は、枠部材を組み合わせた箱状のフレーム構造を有する。下部筐体３１の上面には、長方形の板材である上板３２が設けられている。下部筐体３１の内部には、垂直軸心Ａ１を中心にターンテーブル３３を回転させる駆動機構が、次のように設けられている。
【００２４】
下部筐体３１内の左方寄りに、ターンテーブル３３を回転させるための駆動力を供給する主軸モータ３５が設置されている。主軸モータ３５の軸３６は、上方に突出しており、プーリ３７が軸３６に固定されている。下部筐体３１の中央部には、下部筐体３１の内部から上方に延びる垂直な主軸５７が設けられている。主軸５７は、上板３２を貫通して、下部筐体３１の上側に突出している。主軸５７の上端部は、ターンテーブル３３の中央部に接続されている。
【００２５】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２６】
下部筐体３１内の右方寄りに、下部筐体３１の内部において上下方向に延びる図示しないガイドレールが設けられている。図示しないＴ型プレートは、ガイドレールに沿って下部筐体３１内において上下方向に移動可能である。
【００２７】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２８】
Ｔ型プレートの前方には、Ｔ型プレートを上下動させるための水平モータ５１が固定されている。水平モータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。水平モータ５１が軸５８を回転させると、カム板の回転に連動して突起が上下動する。このとき、溝部に挿入されている突起に連動して、Ｔ型プレートがガイドレールに沿って上下動する。主軸モータ３５、および水平モータ５１は、ステッピングモータ、サーボモータ、ＤＣモータなどの周知のモータでよい。
【００２９】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定されたラックギア４３が設けられている。ラックギア４３は、上下方向に長い金属製の板状部材であり、両端面にギアが各々刻まれている。
【００３０】
各Ｌ型プレート６０の延設方向の先端側では、ギア４５を有する水平な支軸４６が回転自在に軸支されている。支軸４６は図示外の装着用ホルダを固定する。このため、ギア４５の回転に連動して、装着用ホルダに保持された検査チップ２も支軸４６を中心に回転する。ギア４５とラックギア４３との間には、Ｌ型プレート６０により前後方向の軸心を中心に回転自在に支持されたピニオンギア４４が介在している。ピニオンギア４４は、ギア４５及びラックギア４３にそれぞれ噛合している。ラックギア４３の上下動に連動して、ピニオンギア４４、及びギア４５がそれぞれ従動回転し、検査チップ２が支軸４６を中心に回転する。
【００３１】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸心Ａ１を中心とした回転を、公転と呼ぶ。一方、後述する水平モータ５１が内軸を上下動させるのに伴って、検査チップ２が水平軸である支軸４６を中心に回転して、検査チップ２に作用する遠心力の方向が相対変化する。検査チップ２の水平軸心Ａ２を中心とした回転を、自転と呼ぶ。
【００３２】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸心Ａ２を中心に９０度回転した状態になる。つまり、本実施形態では検査チップ２が自転可能な角度幅は、自転角度０度〜９０度である。自転角度０度は、図２に示す検査チップ２の状態を示し、自転角度９０度は、０度から反時計回りに９０度回転した状態を示す。
【００３３】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００３４】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００３５】
＜３．制御装置９０の電気的構成＞
図１を参照して、制御装置９０の電気的構成について説明する。制御装置９０は、検査装置１の主制御を司るＣＰＵ９１と、各種データを一時的に記憶するＲＡＭ９２と、制御プログラムを記憶したＲＯＭ９３とを有する。ＣＰＵ９１には、ユーザが制御装置９０に対する指示を入力するための操作部９４と、各種データ、及びプログラムを記憶するハードディスク装置９５と、各種情報を表示するディスプレイ９６とが接続されている。制御装置９０としては、パーソナルコンピュータを用いてもよいし、専用の制御装置を用いてもよい。
【００３６】
ＣＰＵ９１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、水平モータ５１を回転駆動させる制御信号を水平モータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。ＣＰＵ９１が公転コントローラ９７、自転コントローラ９８及び測定コントローラ９９を制御する。
【００３７】
＜４．検査チップ２の構造＞
図２〜図６を参照して、本実施形態に係る検査チップ２の詳細構造を説明する。以下の説明では、図２の上方、下方、右方、左方、紙面手前側、及び紙面奥側を、それぞれ検査チップ２の上方、下方、右方、左方、前方、及び後方とする。
【００３８】
図２に示すように、検査チップ２は一例として前方から見た場合に正方形状であり、所定の厚みを有する透明な合成樹脂の板材２０を主体とする。前方を開口して液体流路２１が板材２０に形成されている。すなわち、液体流路２１は、所定深さに形成された凹部であり、板材２０の厚み方向である前後方向と直交する方向に延びる。液体流路２１は、検査チップ２に注入された検査液体が流動可能な流路である。板材２０の前面は、透明の合成樹脂の薄板から構成された図示しないシートによって封止されている。液体流路２１は前面、および後面が開口することにより板材２０に形成され、液体流路の２１の前面、および後面がシートによって封止されることで形成されてもよい。
【００３９】
液体流路２１は、検体定量ユニット２２Ａ、第１試薬定量ユニット２２Ｂ、第２試薬定量ユニットＣ、および第３試薬定量ユニット２２Ｄを備える。検体定量ユニット２２Ａは、例えば血液、骨髄、尿、膣組織、上皮組織、腫瘍、精液、唾液、食料品などの成分を含む液体の検体を定量するための定量ユニットである。第１試薬定量ユニット２２Ｂは、検体を検査するための試薬、または希釈液などの第１試薬を定量するための定量ユニットである。第２試薬定量ユニット２２Ｃは、検体と第１試薬とが混合された第１混合液を検査するための試薬、または希釈液などの第２試薬を定量するための定量ユニットである。第３試薬定量ユニット２２Ｄは、第１混合液を検査するための第２試薬と混合される試薬、または希釈液などの第３試薬を定量するための定量ユニットである。
【００４０】
検体定量ユニット２２Ａは検査チップ２の左上に配置される。第１試薬定量ユニット２２Ｂは検査定量ユニット２２Ａの右方に形成される。第２試薬定量ユニット２２Ｃは第１試薬定量ユニット２２Ｂの右方に形成される。第３試薬定量ユニット２２Ｄは第２試薬定量ユニット２２Ｃの右方に形成される。
【００４１】
第１混合液定量部２３Ａが、検体定量ユニット２２Ａ、および第１試薬定量ユニット２２Ｂの下流に形成される。第２混合液定量部２３Ｂが第２試薬定量ユニット２２Ｃ、および第３試薬定量ユニット２２Ｄの下流に形成される。第１混合液定量部２３Ａの左方に延びる第１混合液余剰流路２４Ａを介して第１混合液余剰部２５Ａが形成される。第１混合液定量部２３Ａの右方に延びる第１測定流路２６Ａを介して測定部２７が形成される。測定部２７は、第１測定流路２６Ａに対して下方に凹状に形成された凹部である。第２混合液定量部２３Ｂの左方に延びる第２混合液余剰流路２４Ｂを介して第２混合液余剰部２５Ｂが形成される。第２混合液定量部２３Ｂの右方に延びる第２測定流路２６Ｂは、測定部２７と連結する。
【００４２】
＜５．定量ユニットの構造＞
図３を参照して、検体定量ユニット２２Ａを説明する。検体定量ユニット２２Ａは、挿入口２２１Ａ、第１保持部２２２Ａ、連結路２２３Ａ、第２保持部２２４Ａ、流入穴２２５Ａ、定量部２２６Ａ、余剰流路２２７Ａ、余剰部２２８Ａ、および混合流路２２９Ａを備える。
【００４３】
挿入口２２１Ａは、図示しないキャピラリが挿入される開口部である。すなわち、挿入口２２１Ａは、検体が検査チップ２に注入される部位である。第１保持部２２２Ａは挿入口２２１Ａの下方に形成され、挿入口２２１Ａに対して凹状に開口する凹部である。具体的には、第１保持部２２２Ａは、第１保持部２２２Ａの左側の壁を形成する左壁２２２１Ａ、第１保持部２２２Ａの下側の壁を形成する下壁２２２２Ａ、および第１保持部２２２Ａの右側の壁を形成する右壁２２２３Ａにより形成される。よって、第１保持部２２２Ａは上方に開口する。
【００４４】
第２保持部２２４Ａは、第１保持部２２２Ａの右方に形成される。第２保持部２２４Ａは、左右方向に延びる連結路２２３Ａを介して第１保持部２２２Ａと接続する。すなわち第２保持部２２４Ａは、第１保持部２２２Ａに対して凹状に開口する凹部である。具体的には、第２保持部２２４Ａは、第２保持部２２４Ａの上側の壁を形成する上壁２２４１Ａ、第２保持部２２４Ａの右側の壁を形成する右壁２２４２Ａ、および第２保持部２２４Ａの下側の壁を形成する下壁２２４３Ａにより形成される。よって、第２保持部は左方に開口する。
【００４５】
流入穴２２５Ａは第２保持部２２４Ａの下壁２２４３Ａと接続する壁２２５１Ａ、および壁２２５１Ａと対向する壁２２５２Ａとの間に挟まれた流路である。壁２２５１Ａ、および壁２２５２Ａは上下方向に延設されるので、流入穴２２５Ａも上下方向に延びる。
【００４６】
定量部２２６Ａは、流入穴２２５Ａに対して凹状に開口する凹部である。よって、流入穴２２５Ａは、検体を、定量部２２６Ａに流入させることが可能である。流入穴２２５Ａと定量部２２６Ａとの間に左右方向に延びる流路が形成される。この流路のうち、定量部２２６Ａに対して、左方に延びる流路が余剰流路２２７Ａであり、右方に延びる流路が混合流路２２９Ａである。余剰流路２２７Ａは、定量部２２６Ａから左方、下方、右方の順に形成される流路である。余剰部２２８Ａが、余剰流路２２７Ａの下流に形成される。言い換えれば、余剰部２２８Ａは、左方に開口する凹部である。よって、余剰流路２２７Ａは、余剰部２２８Ａと定量部２２６Ａとを接続する。混合流路２２９Ａは図１に示すように、第１混合液定量部２３Ａに接続する。
【００４７】
＜６．定量部の構造＞
図４を参照して、定量部２２６Ａの構成について説明する。図４において紙面手前方向が前方向であり、紙面奥方向が後ろ方向であるとして説明する。定量部２２６Ａは、左壁２２６１Ａ、後壁２２６２Ａ、右壁２２６３Ａ、底壁２２６４Ａ、および底壁２２６５Ａにより形成される。定量部２２６Ａは、上方向、および前方向に開口した形状を有する。
【００４８】
左壁２２６１Ａは定量部２２６Ａの左側の壁であり、上方において余剰流路２２７Ａの下側の壁である下壁２２７１Ａに接続される。この接続される位置が接続位置２２６６Ａである。後壁２２６２Ａは、定量部２２６Ａの後ろ側の壁であり、図３に示す流入穴２２５Ａまで上方に延びる。後壁２２６２Ａは、左方において左壁２２６１Ａに接続される。右壁２２６３Ａは、定量部２２６Ａの右側の壁であり、上方において混合流路２２９Ａの下側の壁である下壁２２９１Ａ、および後方において後壁２２６２Ａに接続される。右壁２２６３Ａと下壁２２９１Ａとが接続される位置が接続位置２２６７Ａである。底壁２２６４Ａ、および底壁２２６５Ａは、定量部２２６Ａの下側の壁である。底壁２２６４Ａは、左方において左壁２２６１Ａ、後方において後壁２２６２Ａ、右方において底壁２２６５Ａに接続される。底壁２２６５Ａは、左方において底壁２２６４Ａ、後方において後壁２２６２Ａ、右方において右壁２２６３Ａに接続される。
【００４９】
板材２０の前面が、図示しないシートによって封止された状態において、遠心力の方向が下方向であると、流入穴２２５Ａを介して流入した検体の液面は、接続位置２２６６Ａと接続位置２２６７とを含む平面である開口面２２６８Ａと重なる。図４において、開口面２２６８Ａは二点鎖線で示される。開口面２２６８Ａ、左壁２２６１Ａ、後壁２２６２Ａ、右壁２２６３Ａ、底壁２２６４Ａ、底壁２２６５Ａ、および図示しないシートにより形成される空間の体積ＶＡの量の検体が定量される。
【００５０】
本実施形態において、接続位置２２６６Ａから接続位置２２６７Ａへ向かう方向を右方向として、上下方向、および左右方向は定義されている。右方向が本発明の定量方向の一例である。
【００５１】
第１試薬定量ユニット２２Ｂ、第２試薬定量ユニット２２Ｃ、第３試薬定量ユニット２２Ｄは、検体定量ユニット２２Ａと、大きさが異なるが形状は略同様なので、説明を省略する。下記において、例えば、単に第１保持部２２２と記載した場合は、検体定量ユニットの第１保持部２２２Ａ、第１試薬定量ユニット２２Ｂの第１保持部、第２試薬定量ユニット２２Ｃの第１保持部、第３試薬定量ユニット２２Ｄの第１保持部の全てを指す。
【００５２】
検体定量ユニット２２Ａ、第１試薬定量ユニット２２Ｂ、第２試薬定量ユニット、または第３試薬定量ユニットの少なくともいずれか１つが、本発明の第１構成を備える。第１構成は、第１定量部、第１余剰部、第１混合流路、第１余剰流路、第１混合流路接続位置、第１余剰流路接続位置、第１開口面、第１混合流路を形成する壁、第１定量部を形成する壁、第１仮想空間、第１注入部、第１流入部、第１凹部、および第１直交凹部である。すなわち、定量部２２６Ａ〜２２６Ｄの少なくともいずれか１つが、本発明の第１定量部の一例である。余剰部２２８Ａ〜２２８Ｄの少なくともいずれか１つが、本発明の第１余剰部の一例である。混合流路２２９Ａ〜２２９Ｄの少なくともいずれか１つが、本発明の第１混合流路の一例である。余剰流路２２７Ａ〜２２７Ｄの少なくともいずれか１つが、本発明の第１余剰流路の一例である。接続位置２２６７Ａ〜２２６７Ｄの少なくともいずれか１つが、本発明の第１混合流路接続位置の一例である。接続位置２２６６Ａ〜２２６６Ｄの少なくともいずれか１つが、本発明の第１余剰流路接続位置の一例である。開口面２２６８Ａ〜２２６８Ｄの少なくともいずれか１つが、本発明の第１開口面の一例である。下壁２２９１Ａ〜２２９１Ｄの少なくともいずれか１つが、本発明の第１混合流路を形成する壁の一例である。右壁２２６３Ａ〜２２６３Ｄの少なくともいずれか１つが、本発明の第１定量部を形成する壁の一例である。挿入口２２１Ａ〜２２１Ｄの少なくともいずれか１つが、本発明の第１注入部の一例である。流入穴２２５Ａ〜２２５Ｄの少なくともいずれか１つが、本発明の第１流入部の一例である。第１保持部２２２Ａ〜２２２Ｄの少なくともいずれか１つが、本発明の第１凹部の一例である。第２保持部２２４Ａ〜２２４Ｄの少なくともいずれか１つが、本発明の第１直交凹部の一例である。第１構成を備える定量ユニットと異なる、少なくともいずれか１つの検体定量ユニット２２Ａ、第１試薬定量ユニット２２Ｂ、第２試薬定量ユニット、または第３試薬定量ユニットが、本発明の第２構成を備える。第２構成は、第２定量部、第２余剰部、第２混合流路、第２余剰流路、第２混合流路接続位置、第２余剰流路接続位置、第２開口面、第２混合流路を形成する壁、第２定量部を形成する壁、第２仮想空間、第２注入部、第２流入部、第２凹部、および第２直交凹部である。すなわち、定量部２２６Ａ〜２２６Ｄの少なくともいずれか１つが、本発明の第２定量部の一例である。余剰部２２８Ａ〜２２８Ｄの少なくともいずれか１つが、本発明の第２余剰部の一例である。混合流路２２９Ａ〜２２９Ｄの少なくともいずれか１つが、本発明の第２混合流路の一例である。余剰流路２２７Ａ〜２２７Ｄの少なくともいずれか１つが、本発明の第２余剰流路の一例である。接続位置２２６７Ａ〜２２６７Ｄの少なくともいずれか１つが、本発明の第２混合流路接続位置の一例である。接続位置２２６６Ａ〜２２６６Ｄの少なくともいずれか１つが、本発明の第２余剰流路接続位置の一例である。開口面２２６８Ａ〜２２６８Ｄの少なくともいずれか１つが、本発明の第２開口面の一例である。下壁２２９１Ａ〜２２９１Ｄの少なくともいずれか１つが、本発明の第２混合流路を形成する壁の一例である。右壁２２６３Ａ〜２２６３Ｄの少なくともいずれか１つが、本発明の第２定量部を形成する壁の一例である。挿入口２２１Ａ〜２２１Ｄの少なくともいずれか１つが、本発明の第２注入部の一例である。流入穴２２５Ａ〜２２５Ｄの少なくともいずれか１つが、本発明の第２流入部の一例である。第１保持部２２２Ａ〜２２２Ｄの少なくともいずれか１つが、本発明の第２凹部の一例である。第２保持部２２４Ａ〜２２４Ｄの少なくともいずれか１つが、本発明の第２直交凹部の一例である。
従って、第１構成を備える少なくともいずれか１つの定量ユニットにおいて定量される液体が、本発明の第１検査液体の一例である。第２構成を備える少なくともいずれか１つの定量ユニットにおいて定量される液体が、本発明の第２検査液体の一例である。
【００５３】
＜７．検査チップ２のその他構造＞
図２に示すように、第１測定流路２６Ａは、第２測定流路２６Ｂと測定部２７において連結する。よって、測定流路２６Ａ、および測定流路２６Ｂから流入する各混合液は、測定部２７において合流する。光源７１と光センサ７２とを結ぶ測定光が測定部２７を通過することにより、検査装置１は光学測定による検査を行う。
【００５４】
＜８．検査方法の一例＞
検査装置１及び検査チップ２を用いた検査方法について説明する。検体が保持されたキャピラリ、第１試薬が保持されたキャピラリ、第２試薬が保持されたキャピラリ、第３試薬が保持されたキャピラリが、各定量ユニットの挿入口２２１にそれぞれ挿入される。各定量ユニットの挿入口２２１に挿入されたキャピラリの上端から圧力が加えられる。この圧力の印加は、図２に示す下方向が鉛直方向に沿う状態で行われる。この結果、４つのキャピラリのそれぞれに保持された検体、第１試薬、第２試薬、および第３試薬が、４つの定量ユニットの第１保持部２２２にそれぞれ保持される。
【００５５】
定量ユニットの第１保持部２２２に検体、第１試薬、第２試薬、および第３試薬が保持された検査チップ２が支軸４６に固定される装着用ホルダに取り付けられる。この時、ＣＰＵ９１の指示に基づき、自転コントローラ９８が、水平モータ５１を駆動制御することによって、図５に示すように、左右方向と連結路２２３の延びる方向とを一致させる。制御装置９０に処理開始のコマンドが入力されると、ＣＰＵ９１は、ＨＤＤ９５に記憶されたプログラムを読み出し、以下の測定動作が実行される。
【００５６】
ＣＰＵ９１の指示に基づき、公転コントローラ９７が主軸モータ３５を制御してターンテーブル３３の駆動を開始する。この結果、自転角度が０度の検査チップ２が公転する。これにより、図５に示すように、遠心力の方向が右方向となる。この結果、定量ユニットの第１保持部２２２に保持された検体、第１試薬、第２試薬、および第３試薬は、連結路２２３を介して第２保持部２２４に移動する。移動した結果、検体、第１試薬、第２試薬、および第３試薬は右壁２２４２に沿って保持される。検体、第１試薬、第２試薬、および第３試薬が、上述した移動を行うのに十分な時間はＨＤＤ９５に予め記憶されており、この時間が経過するまで自転角度の制御は行われない。
【００５７】
ＣＰＵ９１の指示に従い、自転コントローラ９８が水平モータ５１を駆動制御することにより、検査チップ２の自転角度が９０度に設定される。この結果、図６に示す左方向が鉛直方向になり、遠心力の方向は検査チップ２の下方向である。この結果、定量ユニットの第２保持部２２４に保持された検体、第１試薬、第２試薬、および第３試薬は、流入穴２２５を介して定量部２２６に移動する。定量部２２６が満たされる、すなわち開口面２２６８よりも下方向の凹部の体積分の検体、第１試薬、第２試薬、および第３試薬が定量部２２６に流入すると、検体、第１試薬、第２試薬、および第３試薬は定量部２２６から溢れ、余剰流路２２７を介して余剰部２２８に流入する。これは、図４に示すように、混合流路２２９Ａの下壁２２９１Ａが接続位置２２６７Ａに対して、右上方向に延設され、余剰流路２２７Ａの下壁２２７１Ａが接続位置２２６６Ａに対して、左下方向に延設されるからである。
【００５８】
通常、この定量時において、図６に示すように、自転角度は９０度になる。しかし、公転の回転数が１分間に３０００回転を超える高速回転による負荷、水平モータ５１の軸５８から支軸４６までのラックギア４３、ピニオンギア４４、ギア４５などの駆動系の部材の公差などの原因により、自転角度は９０度から±５度ぐらいずれる可能性がある。定量時の自転角度が９０度からずれると、定量部２２６における液面が開口面と平行にならず、定量精度が低下する。しかし、本実施形態では、自転角度は９０度から±５度ぐらいずれた場合においても、定量精度が低下するのを低減することが出来る。この理由を、図７を参照して説明する。図７において、９０度からずれた角度は、α度として図示されている。αは正の値である。下記記載において、検体定量ユニット２２Ａが、本発明の第１構成を備え、第１試薬定量ユニット２２Ｂが、本発明の第２構成を備えるとして説明する。また、定量時において、自転角度が９０度である場合の遠心力の方向を適切な方向とする。
【００５９】
図７（Ａ）は、定量時において、自転角度が９５度となった場合の検体定量ユニット２２Ａの定量部２２６Ａを示す説明図である。図７（Ｂ）は、定量時において、自転角度が９５度となった場合の第１試薬定量ユニット２２Ｂの定量部２２６Ｂを示す説明図である。すなわち、図７（Ａ）、および図７（Ｂ）は、遠心力の方向が適切な方向から余剰流路２２７側へα度ずれた場合を示す。図７（Ａ）に示すように、遠心力Ｆｒの方向は、開口面２２６８Ａに垂直な方向からずれる。従って、遠心力Ｆｒの方向に垂直な面であって、接続位置２２６６Ａを含む仮想開口面Ｆ１Ａより下部の定量部２２６Ａの体積の検体が定量される。検査チップ２が９５度傾いているので、開口面２２６８Ａと仮想開口面Ｆ１Ａとのなす角度は−α度である。本実施形態では角度は、開口面２２６８Ａを基準にして反時計回りに計測された値を採用している。すなわち、開口面２２６８Ａが、接続位置２２６６Ａの延設方向を軸心として−α度回転された場合に、接続位置２２６６Ａが、水平方向において、右壁２２６３Ａに投影される投影線を含む面が仮想開口面Ｆ１Ａである。投影線は、本実施形態では点Ｐ５Ａと点Ｐ６Ａとを結ぶ線分であり、仮想開口面Ｆ１Ａが右壁２２６３Ａと交わる位置を示す線分である。水平方向は、鉛直方向に垂直な方向である。仮想開口面Ｆ１Ａが、本発明の第１仮想開口面の一例である。接続位置２２６６Ａの延設方向とは、前後方向であり、図２に示す板材２０の厚み方向である。
【００６０】
検査チップ２が９５度傾いた場合の、定量部２２６Ａにおいて定量される検体の量は、検査チップ２が９０度傾いた場合の定量部２２６Ａの体積ＶＡから、第１仮想空間Ｖ１Ａの体積を差し引いた量である。
【００６１】
第１仮想空間Ｖ１Ａは、開口面２２６８Ａと、仮想開口面Ｆ１Ａと、右壁２２６３Ａとで形成される。第１仮想空間Ｖ１Ａは、本実施形態では、図７（Ａ）に示すよう、点Ｐ１Ａ〜点Ｐ６Ａで形成される三角柱状の空間である。点Ｐ１Ａ、および点Ｐ２Ａは、開口面２２６８Ａを形成する接続位置２２６６Ａの両端の点である。点Ｐ３Ａ、および点Ｐ４Ａは、開口面２２６８Ａを形成する接続位置２２６７Ａの両端の点である。
【００６２】
図７（Ｂ）に示すように、遠心力Ｆｒの方向は、開口面２２６８Ｂに垂直な方向からずれる。従って、遠心力Ｆｒの方向に垂直な面であって、接続位置２２６６Ｂを含む仮想開口面Ｆ１Ｂより下部の定量部２２６Ｂの体積の第１試薬が定量される。検査チップ２が９５度傾いているので、開口面２２６８Ｂと仮想開口面Ｆ１Ｂとのなす角度は−５度である。すなわち、開口面２２６８Ｂが、接続位置２２６６Ｂの延設方向を軸心として−５度回転された場合に、接続位置２２６６Ｂが、水平方向において、右壁２２６３Ｂに投影される投影線を含む面が仮想開口面Ｆ１Ｂである。投影線は、本実施形態では点Ｐ５Ｂと点Ｐ６Ｂとを結ぶ線分であり、仮想開口面Ｆ１Ｂが右壁２２６３Ｂと交わる位置を示す線分である。仮想開口面Ｆ１Ｂが、本発明の第２仮想開口面の一例である。接続位置２２６６Ｂの延設方向とは、前後方向であり、図２に示す板材２０の厚み方向である。
【００６３】
検査チップ２が９５度傾いた場合の、定量部２２６Ｂにおいて定量される第１試薬の量は、検査チップ２が９０度傾いた場合の定量部２２６Ｂの体積ＶＢから、第２仮想空間Ｖ１Ｂの体積を差し引いた量である。
【００６４】
第２仮想空間Ｖ１Ｂは、開口面２２６８Ｂと、仮想開口面Ｆ１Ｂと、右壁２２６３Ｂとで形成される。第２仮想空間Ｖ１Ｂは、本実施形態では、図７（Ｂ）に示すよう、点Ｐ１Ｂ〜点Ｐ６Ｂで形成される三角柱状の空間である。点Ｐ１Ｂ、および点Ｐ２Ｂは、開口面２２６８Ｂを形成する接続位置２２６６Ｂの両端の点である。点Ｐ３Ｂ、および点Ｐ４Ｂは、開口面２２６８Ｂを形成する接続位置２２６７Ｂの両端の点である。
【００６５】
第１仮想空間Ｖ１Ａの体積と第２仮想空間Ｖ１Ｂの体積との体積比は、定量部２２６Ａの体積と定量部２２６Ｂの体積との体積比と同じである。定量部２２６Ａの体積ＶＡは、測定部２７における測定に必要な検体の量に基づく。例えば、定量部２２６Ａの体積ＶＡが測定に必要な検体の量である。定量部２２６Ｂの体積ＶＢは、測定部２７における測定に必要な第１試薬の量に基づく。すなわち、定量部２２６Ｂの体積ＶＢは、体積ＶＡに相当する量の検体と混合されるべき量の第１試薬の量に基づく。例えば、定量部２２６Ｂの体積ＶＢは、混合されるべき量の第１試薬の量である。第１仮想空間Ｖ１Ａの体積と第２仮想空間Ｖ１Ｂの体積との体積比が、定量部２２６Ａの体積と定量部２２６Ｂの体積との体積比と同じである。これにより、検査チップ２が９５度傾いた場合の定量部２２６Ａにおいて定量される検体の量と、定量部２２６Ｂにおいて定量される第１試薬の量との比は、検査チップ２が９０度傾いた場合の定量部２２６Ａにおいて定量される検体の量と、定量部２２６Ｂにおいて定量される第１試薬の量との比と同じになる。従って、検査チップ２が９５度傾いた場合においても、測定部２７における測定精度の低下を低減できる。
【００６６】
開口面２２６８Ａに対する右壁２２６３Ａの延設方向と、開口面２２６８Ｂに対する右壁２２６３Ｂの延設方向とは同じ方向である。すなわち開口面２２６８Ａと右壁２２６３Ａとのなす角度β１は、開口面２２６８Ｂと右壁２２６３Ｂとのなす角度β２と同じである。
【００６７】
定量部２２６Ａの形状と定量部２２６Ｂの形状とは、定量部２２６Ａの体積ＶＡと定量部２２６Ｂの体積ＶＢとの体積比を相似比率とする相似形状である。例えば、定量部２２６Ａにおいて血漿を定量し、定量部２２６ＢにおいてＲ−１試薬を定量する場合、定量部２２６Ａにおいて定量される血漿の量と、定量部２２６Ｂにおいて定量されるＲ−１試薬との比は１：９０となる必要がある。これにより、定量部２２６Ａの体積ＶＡと定量部２２６Ｂの体積ＶＢとの体積比が、１：９０になるように定量部２２６Ａ、および定量部２２６Ｂは設計される。よって、定量部２２６Ａの形状と定量部２２６Ｂの形状とは、１：９０を相似比率とする相似形状となるように設計される。
【００６８】
接続位置２２６６Ａから接続位置２２６７Ａへ向かう定量方向は、接続位置２２６６Ｂから接続位置２２６７Ｂへ向かう方向と同じ方向であり、その方向は右方向である。
【００６９】
図７（Ｃ）は、定量時において検査チップ２が８５度傾いた場合の検体定量ユニット２２Ａの定量部２２６Ａを示す説明図である。図７（Ｄ）は、定量時において検査チップ２が８５度傾いた場合の第１試薬定量ユニット２２Ｂの定量部２２６Ｂを示す説明図である。
すなわち、図７（Ｃ）、および図７（Ｄ）は、遠心力の方向が適切な方向から混合流路２２９側へα度ずれた場合を示す。図７（Ｃ）に示すように、遠心力Ｆｒの方向は、開口面２２６８Ａに垂直な方向からずれる。従って、遠心力Ｆｒの方向に垂直な面であって、接続位置２２６６Ａを含む仮想開口面Ｆ２Ａより下部の定量部２２６Ａ、および混合流路２２９Ａの体積の検体が定量される。検査チップ２が８５度傾いているので、開口面２２６８Ａと仮想開口面Ｆ２Ａとのなす角度は５度である。すなわち、仮想開口面Ｆ２Ａは、開口面２２６８Ａが、接続位置２２６６Ａの延設方向を軸心として５度回転された場合に、接続位置２２６６Ａが、水平方向において、下壁２２９１Ａに投影される投影線を含む面である。投影線は、本実施形態では点Ｐ７Ａと点Ｐ８Ａとを結ぶ線分であり、仮想開口面Ｆ２Ａが下壁２２９１Ａと交わる位置を示す線分である。仮想開口面Ｆ２Ａは、本発明の第１仮想開口面の一例である。
【００７０】
検査チップ２が８５度傾いた場合の、定量部２２６Ａにおいて定量される検体の量は、検査チップ２が９０度傾いた場合の定量部２２６Ａの体積ＶＡと、第１仮想空間Ｖ２Ａの体積との和の量である。
【００７１】
第１仮想空間Ｖ２Ａは、開口面２２６８Ａと、仮想開口面Ｆ２Ａと、下壁２２９１Ａとで形成される。第１仮想空間Ｖ２Ａは、本実施形態では、図７（Ｃ）に示すよう、点Ｐ１Ａ〜点Ｐ４Ａ、点Ｐ７Ａ、および点Ｐ８Ａで形成される三角柱状の空間である。
【００７２】
図７（Ｄ）に示すように、遠心力Ｆｒの方向は、開口面２２６８Ｂに垂直な方向からずれる。従って、遠心力Ｆｒの方向に垂直な面であって、接続位置２２６６Ｂを含む仮想開口面Ｆ２Ｂより下部の定量部２２６Ｂ、および混合流路２２９Ｂの体積の第１試薬が定量される。検査チップ２が８５度傾いているので、開口面２２６８Ｂと仮想開口面Ｆ２Ｂとのなす角度は５度である。すなわち、開口面２２６８Ｂが、接続位置２２６６Ｂの延設方向を軸心として５度回転された場合に、接続位置２２６６Ｂが、水平方向において、下壁２２９１Ｂに投影される投影線を含む面が仮想開口面Ｆ２Ｂである。投影線は、本実施形態では点Ｐ７Ｂと点Ｐ８Ｂとを結ぶ線分であり、仮想開口面Ｆ２Ｂが下壁２２９１Ａと交わる位置を示す線分である。仮想開口面Ｆ２Ｂが、本発明の第２仮想開口面の一例である。
【００７３】
検査チップ２が８５度傾いた場合の、定量部２２６Ｂにおいて定量される第１試薬の量は、検査チップ２が９０度傾いた場合の定量部２２６Ｂの体積ＶＢと、第２仮想空間Ｖ２Ｂの体積との和の量である。
【００７４】
第２仮想空間Ｖ２Ｂは、開口面２２６８Ｂと、仮想開口面Ｆ２Ｂと、下壁２２９１Ｂとで形成される。第２仮想空間Ｖ２Ｂは、本実施形態では、図７（Ｄ）に示すよう、点Ｐ１Ｂ〜点Ｐ４Ｂ、点Ｐ７Ｂ、および点Ｐ８Ｂで形成される三角柱状の空間である。
【００７５】
第１仮想空間Ｖ２Ａの体積と第２仮想空間Ｖ２Ｂの体積との体積比は、定量部２２６Ａの体積と定量部２２６Ｂの体積との体積比と同じである。これにより、検査チップ２が８５度傾いた場合の定量部２２６Ａにおいて定量される検体の量と、定量部２２６Ｂにおいて定量される第１試薬の量との比は、検査チップ２が９０度傾いた場合の定量部２２６Ａにおいて定量される検体の量と、定量部２２６Ｂにおいて定量される第１試薬の量との比と同じになる。従って、検査チップ２が８５度傾いた場合においても、測定部２７における測定精度の低下を低減できる。
【００７６】
接続位置２２６７Ａに対する下壁２２９１Ａの延設方向と、接続位置２２６７Ｂに対する下壁２２６７Ｂの延設方向とは同じ方向である。すなわち開口面２２６８Ａと下壁２２９１Ａとのなす角度γ１は、開口面２２６８Ｂと下壁２２９１Ｂとのなす角度γ２と同じである。
【００７７】
検体、第１試薬、第２試薬、および第３試薬が、各定量ユニットの定量部２２６において定量されるのに十分な時間はＨＤＤ９５に予め記憶されており、この時間が経過すると、ＣＰＵ９１の指示に従い、自転コントローラ９８が水平モータ５１を駆動制御することにより、検査チップ２の自転角度が０度に設定される。この結果、図８に示す下方向が鉛直方向になり、遠心力の方向は検査チップ２の右方向である。これにより定量部２２６Ａにおいて定量された検体は、定量部２２６Ｂにおいて定量された第１試薬と混合流路２２９Ａの右壁２２９２Ａにおいて混合される。検体と第１試薬との混合液である第１混合液は、右方向の遠心力により、混合流路２２９Ａの右壁２２９２Ａに保持される。一方、定量部２２６Ｃにおいて定量された第２試薬は、定量部２２６Ｄにおいて定量された第３試薬と混合流路２２９Ｃの右壁２２９２Ｃにおいて混合される。第２試薬と第３試薬との混合液である第２混合液は、右方向の遠心力により、混合流路２２９Ｃの右壁２２９２Ｃに保持される。右壁２２９２Ａ、および右壁２２９２Ｃが、本発明の混合部の一例である。
【００７８】
定量ユニットの余剰部２２８に流入した検体、第１試薬、第２試薬、および第３試薬は、液面が遠心力に垂直な方向になるが、そのまま余剰部２２８に保持される。後述する処理において、余剰部２２８に保持された検体、第１試薬、第２試薬、および第３試薬は余剰部２２８から流出することはない。
【００７９】
ＣＰＵ９１の指示に従い、自転コントローラ９８が水平モータ５１を駆動制御することにより、検査チップ２の自転角度が９０度に設定される。この結果、図９に示す左方向が鉛直方向になり、遠心力の方向は検査チップ２の下方向である。これにより、右壁２２９２Ａ保持されていた第１混合液は、第１混合液定量部２３Ａに流入する。右壁２２９２Ｃ保持されていた第２混合液は、第２混合液定量部２３Ｂに流入する。第１混合液定量部２３Ａが満たされる、すなわち第１混合液定量部２３Ａの開口面２３１Ａよりも下方向の凹部の体積分の混合液が、第１混合液定量部２３Ａに流入すると、第１混合液は、第１混合液定量部２３Ａから溢れ、第１混合液余剰流路２４Ａを介して第１混合液余剰部２５Ａに流入する。一方、第２混合液定量部２３Ｂが満たされる、すなわち第２混合液定量部２３Ｂの開口面２３１Ｂよりも下方向の凹部の体積分の混合液が、第２混合液定量部２３Ｂに流入すると、第２混合液は、第２混合液定量部２３Ｂから溢れ、第２混合液余剰流路２４Ｂを介して第２混合液余剰部２５Ｂに流入する。各混合液定量部２３Ａ、２３Ｂにおいて定量されるのに十分な時間はＨＤＤ９５に予め記憶されており、この時間が経過するまで自転角度の制御は行われない。
【００８０】
第１混合液定量部２３Ａの形状、および第２混合液定量部２３Ｂの形状は、図７に示す定量部２２６Ａの形状と定量部２２６Ｂの形状との関係を満たす。これにより、各混合液定量部２３Ａ、２３Ｂにおける定量時に、遠心力の方向が、開口面２３１Ａ、２３１Ｂに垂直な方向からずれた場合においても、測定部２７における測定精度の低下を低減できる。
【００８１】
以降、適宜、ＣＰＵ９１の指示に基づき、自転コントローラ９８が水平モータ５１を駆動制御する。この駆動制御により、遠心力の方向が自転角度０度〜自転角度９０度に変更される。この結果、第１混合液は第１測定流路２６Ａを介し、第２混合液は、第２測定流路２６Ｂを介し、測定部２７に流入する。第１混合液と第２混合液とが混合した測定液が、測定部２７に貯留された状態で、ＣＰＵ９１の指示に基づき、主軸モータ３５の駆動制御によって、検査チップ２が測定位置の角度まで回転される。次に、ＣＰＵ９１の指示に基づき、測定コントローラ９９が光源７１を発光させると、測定光が測定部２７に貯溜された混合液を透過する。光センサ７２が受光した測定光の変化量に基づいて、混合液の光学測定が行われ、測定データが取得される。次いで、取得された測定データに基づいて、測定結果が算出される。測定結果に基づく検体の検査結果がディスプレイ９６に表示される。
【００８２】
＜９．本実施形態の効果＞
【００８３】
本実施形態によれば、第１仮想空間Ｖ１Ａ、Ｖ２Ａの体積と、第２仮想空間Ｖ１Ｂ、Ｖ２Ｂの体積との体積比が、定量部２２６Ａの体積ＶＡと定量部２２６Ｂの体積ＶＢとの比と同じである。これにより、検査装置１により制御される遠心力の方向が、開口面２２６８Ａに垂直な方向からα度ずれた場合、定量部２２６Ａにおいて定量された検体の量と定量部２２６Ｂにおいて定量された第１試薬の量との比は、遠心力の方向が開口面２２６８Ａに垂直な方向である場合に、定量部２２６Ａにおいて定量された検体の量と定量部２２６Ｂにおいて定量された第１試薬の量との比と同じになる。従って、遠心力の方向が、開口面２２６８Ａに垂直な方向からずれた場合においても、定量精度の低下による検査精度の低下を低減することができる。
【００８４】
本実施形態によれば、遠心力の方向が、開口面２２６８Ａに垂直な方向から余剰流路２２７Ａ側へα度ずれた場合、仮想開口面Ｆ１Ａと右壁２２６３Ａの延設方向とのなす角β１と、仮想開口面Ｆ１Ｂと右壁２２６３Ｂの延設方向とのなす角β２とが同じ角度になる。これにより、遠心力の方向が、開口面２２６８Ａに垂直な方向から余剰流路２２７Ａ側へα度ずれた場合、定量部２２６Ａにおいて定量された検体の量と定量部２２６Ｂにおいて定量された第１試薬の量との比は、遠心力の方向が開口面２２６８Ａに垂直な方向である場合に、定量部２２６Ａにおいて定量された検体と定量部２２６Ｂにおいて定量された第１試薬の量との比と、さらに正確に同じになる。従って、遠心力の方向が、開口面２２６８Ａに垂直な方向からずれた場合においても、定量精度の低下による検査精度の低下をさらに低減することができる。
【００８５】
本実施形態によれば、定量部２２６Ａの形状と定量部２２６Ｂの形状とは、定量部２２６Ａの体積ＶＡと定量部２２６Ｂの体積ＶＢとの体積比を相似比率とする相似形状である。これにより、遠心力の方向が開口面２２６８Ａに垂直な方向から余剰流路２２７Ａ側へα度ずれた場合、第１仮想空間Ｖ１Ａと第２仮想空間Ｖ１Ｂとの形状は、定量部２２６Ａの体積ＶＡと定量部２２６Ｂの体積ＶＢとの比を相似比率とする相似形状になる。よって、遠心力の方向が、開口面２２６８Ａに垂直な方向から余剰流路２２７Ａ側へα度ずれた場合、定量部２２６Ａにおいて定量された検体の量と定量部２２６Ｂにおいて定量された第１試薬の量との比は、遠心力の方向が開口面２２６８Ａに垂直な方向である場合に、定量部２２６Ａにおいて定量された検体の量と定量部２２６Ｂにおいて定量された第１試薬の量との比と、さらに正確に同じになる。従って、遠心力の方向が、開口面２２６８Ａに垂直な方向からずれた場合においても、定量精度の低下による検査精度の低下をさらに低減することができる。
【００８６】
本実施形態によれば、遠心力の方向が開口面２２６８Ａに垂直な方向から混合流路２２９Ａへα度ずれた場合、仮想開口面Ｆ２Ａと下壁２２９１Ａの延設方向とのなす角γ１と、仮想開口面Ｆ２Ｂと下壁２２９１Ｂの延設方向とのなす角γ２とが同じ角度になる。これにより、遠心力の方向が、開口面２２６８Ａに垂直な方向から混合流路２２９Ａ側へα度ずれた場合、定量部２２６Ａにおいて定量された検体の量と定量部２２６Ｂにおいて定量された第１試薬の量との比は、遠心力の方向が開口面２２６８Ａに垂直な方向である場合に、定量部２２６Ａにおいて定量された検体の量と定量部２２６Ｂにおいて定量された第１試薬の量との比と、さらに正確に同じになる。従って、遠心力の方向が、開口面２２６８Ａに垂直な方向からずれた場合においても、定量精度の低下による検査精度の低下をさらに低減することができる。
【００８７】
本実施形態によれば、接続位置２２６６Ａから接続位置２２６７Ａへ向かう定量方向は、接続位置２２６６Ｂから接続位置２２６７Ｂへ向かう方向と同じ方向であり、その方向は右方向である。よって、定量部２２６Ａにおいて検体が定量される際の開口面２２６８Ａに垂直な方向からの角度のずれと、定量部２２６Ｂにおいて第１試薬が定量される際の開口面２２６８Ｂに垂直な方向からの角度のずれとが、一致する可能性が高くなる。これにより、検査装置１により作用される遠心力の方向がα度ずれた場合、開口面２２６８Ａに対する遠心力の方向と開口面２２６８Ｂに対する遠心力の方向とが一致する可能性が高くなる。この結果、定量部２２６Ａにおいて定量された検体の量と定量部２２６Ｂにおいて定量された第１試薬の量との比は、定量部２２６Ａにおける定量時の遠心力が開口面２２６８Ａに垂直な方向であり、定量部２２６Ｂにおける定量時の遠心力が開口面２２６８Ｂに垂直な方向である場合に、定量部２２６Ａにおいて定量された検体の量と定量部２２６Ｂにおいて定量された第１試薬の量との比と、さらに正確に同じになる。従って、遠心力の方向が、各開口面２２６８Ａ、２２６８Ｂに垂直な方向からずれた場合においても、定量精度の低下による検査精度の低下をさらに低減することができる。
【００８８】
本実施形態によれば、図５に示すように、検体定量ユニット２２Ａの第１保持部２２２Ａの数と、第１試薬定量ユニット２２Ｂの第１保持部２２２Ｂの数とは同じ数であり、１である。検体定量ユニット２２Ａの第２保持部２２４Ａの数と、第１試薬定量ユニット２２Ｂの第２保持部２２４Ｂの数とは同じ数であり、１である。これにより、図６に示すように、定量部２２６Ａにおいて検体が定量されるタイミングと、定量部２２６Ｂにおいて第１試薬が定量されるタイミングとが同じタイミングになる。これにより、遠心力の方向が、開口面２２６８Ａに垂直な方向からα度ずれた場合、開口面２２６８Ａに対する遠心力の方向と開口面２２６８Ｂに対する遠心力の方向とが一致する。この結果、定量部２２６Ａにおいて定量された検体の量と定量部２２６Ｂにおいて定量された第１試薬の量との比は、遠心力の方向が開口面２２６８Ａに垂直な方向である場合に、定量部２２６Ａにおいて定量された検体の量と定量部２２６Ｂにおいて定量された第１試薬の量との比と、さらに正確に同じになる。従って、遠心力の方向が、開口面２２６８Ａに垂直な方向からずれた場合においても、定量精度の低下による検査精度の低下をさらに低減することができる。
【００８９】
遠心力Ｆｒの方向が、各定量部２２６Ａ〜２２６Ｄ、および各混合液定量部２３Ａ、２３Ｂの開口面に垂直な方向からずれない場合の定量量について、説明する。例えば、定量部２２６Ａにおいて検体が５０μｌ定量され、定量部２２６Ｂにおいて第１試薬が２５μｌ定量され、定量部２２６Ｃにおいて第２試薬が９０μｌ定量され、定量部２２６Ｄにおいて第３試薬が１０μｌ定量される。すなわち、検体、第１試薬、第２試薬、第３試薬の定量量の比は、５０：２５：９０：１０となる。そして、第１混合液定量部２３Ａにおいて検体と第１試薬との第１混合液が６０μｌ定量され、第２混合液定量部２３Ｂにおいて第２試薬と第３試薬との第２混合液が１０μｌ定量される。すなわち、第１混合液、第２混合液の定量量の比は、６０：１０となる。一方、遠心力Ｆｒの方向が、各定量部２２６Ａ〜２２６Ｄの開口面に垂直な方向からずれ、各定量部２２６Ａ〜２２６Ｄにおける定量量が１．２倍になった場合、定量部２２６Ａにおいて検体が６０μｌ定量され、定量部２２６Ｂにおいて第１試薬が３０μｌ定量され、定量部２２６Ｃにおいて第２試薬が１０８μｌ定量され、定量部２２６Ｄにおいて第３試薬が１２μｌ定量される。すなわち、遠心力の方向がずれた場合の検体、第１試薬、第２試薬、第３試薬の定量量の比は、６０：３０：１０８：１２（＝５０：２５：９０：１０）となり、遠心力の方向がずれない場合の検体、第１試薬、第２試薬、第３試薬の定量量の比と同じである。そして、遠心力Ｆｒの方向が、各混合液定量部２３Ａ、２３Ｂの開口面に垂直な方向からずれ、各混合液定量部２３Ａ、２３Ｂにおける定量量が０．８倍になった場合、第１混合液定量部２３Ａにおいて第１混合液が４８μｌ定量され、第２混合液定量部２３Ｂにおいて第２混合液が８μｌ定量される。すなわち、第１混合液、第２混合液の定量量の比は、４８：８（＝６０：１０）となり、遠心力の方向がずれない場合の第１混合液、第２混合液の定量量の比と同じである。従って、遠心力Ｆｒの方向が開口面に垂直な方向からずれた場合における比は、遠心力Ｆｒの方向が開口面に垂直な方向からずれない場合の比と変わらないため、検査精度の低下を低減できる。
【００９０】
[変形例１]
本実施形態では、検査チップ２は、遠心力を作用可能な検査装置１に装着されたが、これに限られない。定量時において、開口面２２６８Ａに垂直な方向に力が作用すればよく、例えば、定量時に開口面２２７Ａに垂直な方向に重力が作用するように検査チップ２を保持する装置に検査チップ２が装着されてもよい。
【００９１】
[変形例２]
本実施形態では、図７において、検体定量ユニット２２Ａと第１試薬定量ユニット２２Ｂとについて、遠心力の方向がずれた場合においても、定量精度の低下による検査精度の低下を低減する構成を説明したが、これに限られず、遠心力の方向がずれた場合においても、定量精度の低下による検査精度の低下を低減する構成は、検体定量ユニット２２Ａ、第１試薬定量ユニット２２Ｂ、第２試薬定量ユニット２２Ｃ、第３試薬定量ユニット２２Ｄの少なくとも２つのユニットにおいて適応されればよい。また、第１混合液定量部２３Ａ、および第２混合液定量部２３Ｂの形状は、遠心力の方向がずれた場合においても、定量精度の低下による検査精度の低下を低減する構成でなくてもよい。
【００９２】
[変形例３]
本実施形態では、開口面２２６８Ａに対する右壁２２６３Ａの延設方向と、開口面２２６８Ｂに対する右壁２２６３Ｂの延設方向とは、同じ方向であったが、第１仮想空間Ｖ１Ａ、Ｖ２Ａの体積と第２仮想空間Ｖ１Ｂ、Ｖ２Ｂの体積との体積比が、定量部２２６Ａの体積ＶＡと定量部２２６Ｂの体積ＶＢとの体積比と同じであれば、異なる方向でもよい。
【００９３】
[変形例４]
本実施形態では、定量部２２６Ａの形状と、定量部２２６Ｂの形状とは定量部２２６Ａの体積ＶＡと定量部２２６Ｂの体積ＶＢとの比を相似比率とする相似形状であったが、第１仮想空間Ｖ１Ａ、Ｖ２Ａの体積と第２仮想空間Ｖ１Ｂ、Ｖ２Ｂの体積との比が、定量部２２６Ａの体積ＶＡと定量部２２６Ｂの体積ＶＢとの比と同じであれば、これに限られない。
【００９４】
[変形例５]
本実施形態では、接続位置２２６７Ａに対する下壁２２９１Ａの延設方向と、接続位置２２６７Ｂに対する下壁２２９１Ｂの延設方向とは同じ方向であったが、第１仮想空間Ｖ１Ａ、Ｖ２Ａの体積と第２仮想空間Ｖ１Ｂ、Ｖ２Ｂの体積との比が、定量部２２６Ａの体積ＶＡと定量部２２６Ｂの体積ＶＢとの比と同じであれば、異なる方向でもよい。
【００９５】
[変形例６]
本実施形態では、接続位置２２６６Ａから接続位置２２６７Ａへ向かう定量方向は、接続位置２２６６Ｂから接続位置２２６７Ｂへ向かう方向と同じ方向であったが、異なる方向でもよい。
【００９６】
[変形例７]
本実施形態では、検体定量ユニット２２Ａの第１保持部２２２Ａの数と、第１試薬定量ユニット２２Ｂの第１保持部２２２Ｂの数とは同じ１であり、検体定量ユニット２２Ａの第２保持部２２４Ａの数と、第１試薬定量ユニット２２Ｂの第２保持部２２４Ｂの数とは同じ１であったが、これに限られない。検体定量ユニット２２Ａの第１保持部２２２Ａの数と第１試薬ユニット２２Ｂの第１保持部２２２Ｂの数とは一致しなくともよいし、検体定量ユニット２２Ａの第２保持部２２４Ａの数と第１試薬ユニット２２Ｂの第２保持部２２４Ｂの数とは一致しなくともよい。
【００９７】
[変形例８]
本実施形態では、検査チップ２は、検体定量ユニット２２Ａ、第１試薬定量ユニット２Ｂ、第２試薬定量ユニット２２Ｃ、および第３試薬定量ユニット２２Ｄの４つの定量ユニットを備えたが、これに限られず、検査チップは、複数の定量ユニットを備えてもよい。例えば、検査チップ２が３つの定量ユニットを備え、検体として血漿、第１試薬としてＲ−１試薬、および第２試薬としてＲ−２試薬である場合、血漿を定量する定量部の体積：Ｒ−１試薬を定量する定量部の体積：Ｒ−２試薬を定量する定量部の体積は、３：２７０：６０であればよい。
【００９８】
[変形例９]
本実施形態では、図４に示すよう、接続位置２２６６Ａは、平面である左壁２２６１Ａと平面である下壁２２７１Ａとが交わる線状であるが、これに限られない。例えば、左壁と下壁とが曲面にて接続された場合、左右方向において、連続する面の上下方向の最も高い位置が接続位置に相当する。同様に、右壁２２６３Ａと下壁２２９１Ａとが、曲面にて接続された場合、接続位置に相当する。
【００９９】
[変形例１０]
本実施形態では、右壁２２９２Ａ、および右壁２２９２Ｃが、本発明の混合部の一例であったが、これに限られず、第１検査液体とされる検体、第１試薬、第２試薬、または第３試薬と第２検査液体とされる検体、第１試薬、第２試薬、または第３試薬とが混合される部位であればよい。
【符号の説明】
【０１００】
１          検査装置
２          検査チップ
３          検査システム
２２Ａ      検体定量ユニット
２２１Ａ    挿入口
２２２Ａ    第１保持部
２２２１Ａ  左壁
２２２２Ａ  下壁
２２２３Ａ  右壁
２２３Ａ    連結路
２２４Ａ    第２保持部
２２４１Ａ  上壁
２２４２Ａ  右壁
２２４３Ａ  下壁
２２５Ａ    流入穴
２２５１Ａ  壁
２２５２Ａ  壁
２２６Ａ    検体定量部
２２６１Ａ  左壁
２２６２Ａ  後壁
２２６３Ａ  右壁
２２６４Ａ  底壁
２２６５Ａ  底壁
２２６６Ａ  接続部
２２６７Ａ  接続部
２２７Ａ    検体余剰流路
２２７１Ａ  下壁
２２８Ａ    検体余剰部
２２９Ａ    検体混合流路
２２９１Ａ  下壁
２２Ｂ      第１試薬定量ユニット
２２Ｃ      第２試薬定量ユニット
２２Ｄ      第３試薬定量ユニット
２３Ａ      第１混合液定量部
２３Ｂ      第２混合液定量部
２４Ａ      第１混合液余剰流路
２４Ｂ      第２混合液余剰流路
２５Ａ      第１混合液余剰部
２５Ｂ      第２混合液余剰部
２６Ａ      第１測定流路
２６Ｂ      第２測定流路
２７        測定部
３３    ターンテーブル
３４    角度変更機構
３５    主軸モータ
５１    水平モータ
９０    制御装置
９１    ＣＰＵ
Ａ１    垂直軸心
Ａ２    水平軸心
【図１】
2014163920.tif 000003
【図２】
2014163920.tif 000004
【図３】
2014163920.tif 000005
【図４】
2014163920.tif 000006
【図５】
2014163920.tif 000007
【図６】
2014163920.tif 000008
【図７】
2014163920.tif 000009
【図８】
2014163920.tif 000010
【図９】
2014163920.tif 000011